(57)【特許請求の範囲】
【請求項１】
対向する一対の足場用建枠の横架材間に足場板を架け渡しながら多段状に組み立てられる枠組足場に取り付ける安全手摺りおいて、架け渡された足場板の一側端部と建枠の縦材側との間の隙間を塞ぐように足場板上に一側端部側が載置される隙間塞ぎ板の他側端部を幅木に蝶着し、この幅木を手摺り本体の所定高さ位置に取り付けると共に、隙間塞ぎ板を幅木に対し折り畳んだ折畳位置にロックするするロック手段を設けてなる安全手摺りであって、
ロック手段は、ロックピン及びバネからなり、ロックピンは、幅木の端部を貫通して軸支され、バネで幅木の外側方向へ付勢される支軸部と、支軸部の先端部から幅木の内側面に沿って平行に延びる操作軸部と、操作軸部の先端部から内向きに支軸部と平行に延びる係止軸部とからなる鉤形のもので、幅木の端部には幅木の端部内で係止軸部が係入するピン孔を設け、隙間塞ぎ板の端部には、係止軸部が折り畳まれた隙間塞ぎ板の端部内にある時に係止軸部が係入するピン孔と、係止軸部が隙間塞ぎ板の端部の外に出た状態で支軸部及び操作軸部が挿通してロックピンを抜き取り可能なピン抜取用切欠溝とを設け、隙間塞ぎ板が折畳位置にある時に、係止軸部を隙間塞ぎ板のピン孔からこれと対向位置する幅木のピン孔に係止することによって隙間塞ぎ板をロックし、このロック状態から、操作軸部をバネに抗して引っ張って係止軸部を隙間塞ぎ板の端部の外に出した状態で隙間塞ぎ板を傾倒させることにより、ロックピンが隙間塞ぎ板のピン抜取用切欠溝から抜け出てロック解除するようになっている安全手摺り。
【請求項２】
対向する一対の足場用建枠の横架材間に足場板を架け渡しながら多段状に組み立てられる枠組足場に取り付ける安全手摺りおいて、架け渡された足場板の一側端部と建枠の縦材側との間の隙間を塞ぐように足場板上に一側端部側が載置される隙間塞ぎ板の他側端部を幅木に蝶着し、この幅木を手摺り本体の所定高さ位置に取り付けると共に、隙間塞ぎ板を幅木に対し折り畳んだ折畳位置にロックするするロック手段を設けてなる安全手摺りであって、
ロック手段は、ロックピン及びバネからなり、ロックピンは、幅木の端部を貫通して軸支され、バネにより幅木の外側方向方向へ付勢される軸体からなるもので、この軸体の先端部には、隙間塞ぎ板を折畳位置にロックするための長方形板状のロック金具を軸線周りに回転可能に設け、隙間塞ぎ板の端部には、前記軸体が挿通可能であると共に、前記ロック金具に対応する長方形で、このロック金具が挿通可能なロック用開口部を設け、隙間塞ぎ板を折畳位置に回動させる際に、ロック金具を幅木の前記ロック用開口部に挿通させた後、ロック金具をロック用開口部と直交するように回転させることによって隙間塞ぎ板をロックし、ロック金具をロック用開口部と平行するように回転させて開口部から抜き出すことによってロック解除するようになっている安全手摺り。
【発明の詳細な説明】
【技術分野】
【０００１】
本発明は、建設作業現場で枠組足場を多段状に組み立てる際、既設の下段側足場板から、新設した上段側足場板の先行仮設手摺りとして取り付ける安全手摺りに関するもので、特に本発明は、隙間塞ぎ板付きの幅木を備えた安全手摺りに関する。
【背景技術】
【０００２】
足場板上での高所作業では、作業者の手にしたボルト、ナット、各種工具類等を誤って落下させ、事故につながるという危険性があることから、安全対策として足場板の側縁部上に設置されるのが幅木である。一方、足場用建枠及び足場板を使用して、対向する足場用建枠の両横材間に足場板を架け渡した場合、その架け渡した足場板の一側端部と、両足場用建枠の縦材側（正確には、両足場用建枠の対向する縦材を結ぶライン）との間に隙間が生じ、具体的に、例えば、スパンが９１４ｍｍの建枠を使用して、対向する一対の建枠の両横材間に、５００ｍｍ幅の足場板と２４０ｍｍ幅の足場板を並列に架け渡し、両足場板を互いに接する状態で一方の縦材側へ引き寄せると、他方の縦材側と足場板との間には約１３０ｍｍ程度の隙間ができる。このように足場板と建枠の縦材側との間に隙間ができると、作業者が足を踏み外すおそれがあって非常に危険であるために、その隙間を塞ぐ隙間塞ぎ板を幅木に連結したものが隙間塞ぎ板付きの幅木である。
【０００３】
上記のような隙間塞ぎ板付きの幅木を取り付けた従来の安全手摺りとして、特許公報等の具体的な公知文献を挙げることはできないが、従来のものは、手摺り本体の所定高さ位置に幅木が取り付けられ、この幅木の下端部に隙間塞ぎ板が幅木に対しほぼ直角に一体的に連結されている。
【発明の概要】
【発明が解決しようとする課題】
【０００４】
隙間塞ぎ板付きの幅木を備えた従来の安全手摺りは、上記のように手摺り本体の所定高さ位置に幅木が取り付けられ、この幅木の下端部に隙間塞ぎ板が直角に一体的に連結されていることから、このような安全手摺りを搬送や保管に際して複数段積み重ねる時に嵩張って荷崩れを起こし易いという問題があった。
【０００５】
本発明は、上記の事情に鑑み、安全手摺りの積み重ね時の嵩張りを少なくし、安定良く積み重ねることができ、荷崩れを起こしにくくした隙間塞ぎ板付きの幅木を備えた安全手摺りを提供することを目的とする。
【課題を解決するための手段】
【０００６】
上記課題を解決するための手段を、後述する実施形態の参照符号を付して説明すると、請求項１に係る発明は、対向する一対の足場用建枠３の横架材２，２間に足場板４を架け渡しながら多段状に組み立てられる枠組足場に取り付ける安全手摺りおいて、架け渡された足場板４の一側端部と建枠３の縦材１側との間の隙間Ｓを塞ぐように足場板４上に一側端部側が載置される隙間塞ぎ板５の他側端部を幅木６に蝶着し、この幅木６を手摺り本体７の所定高さ位置に取り付けると共に、隙間塞ぎ板５を幅木６に対し折り畳んだ折畳位置にロックするするロック手段８を設けてなる安全手摺りであって、ロック手段８は、ロックピン９及びバネ１０からなり、ロックピン９は、幅木６の端部を貫通して軸支され、バネ１０で幅木６の外側方向へ付勢される支軸部９ａと、支軸部９ａの先端部から幅木６の内側面に沿って平行に延びる操作軸部９ｂと、操作軸部９ｂの先端部から内向きに支軸部９ａと平行に延びる係止軸部９ｃとからなる鉤形のもので、幅木６の端部には幅木６の端部内で係止軸部９ｃが係入するピン孔２１を設け、隙間塞ぎ板５の端部には、係止軸部９ｃが折り畳まれた隙間塞ぎ板５の端部内にある時に係止軸部９ｃが係入するピン孔２２と、係止軸部９ｃが隙間塞ぎ板５の端部の外に出た状態で支軸部９ａ及び操作軸部９ｂが挿通してロックピン９を抜き取り可能なピン抜取用切欠溝２３とを設け、隙間塞ぎ板５が折畳位置にある時に、係止軸部９ｃを隙間塞ぎ板５のピン孔２２からこれと対向位置する幅木６のピン孔２１に係止することによって隙間塞ぎ板５をロックし、このロック状態から、操作軸部９ｂをバネ１０に抗して引っ張って係止軸部９ｃを隙間塞ぎ板５の端部の外に出した状態で隙間塞ぎ板５を傾倒させることにより、ロックピン９が隙間塞ぎ板５のピン抜取用切欠溝２３から抜け出てロック解除するようになっていることを特徴とする。
【０００８】
請求項２は、対向する一対の足場用建枠３の横架材２，２間に足場板４を架け渡しながら多段状に組み立てられる枠組足場に取り付ける安全手摺りおいて、架け渡された足場板４の一側端部と建枠３の縦材１側との間の隙間Ｓを塞ぐように足場板４上に一側端部側が載置される隙間塞ぎ板５の他側端部を幅木６に蝶着し、この幅木６を手摺り本体７の所定高さ位置に取り付けると共に、隙間塞ぎ板５を幅木６に対し折り畳んだ折畳位置にロックするするロック手段８を設けてなる安全手摺りであって、ロック手段８は、ロックピン３９及びバネ４０からなり、ロックピン３９は、幅木６の端部を貫通して軸支され、バネ４０により幅木６の外側方向方向へ付勢される軸体４１からなるもので、この軸体４１の先端部には、隙間塞ぎ板５を折畳位置にロックするための長方形板状のロック金具４３を軸線周りに回転可能に設け、隙間塞ぎ板５の端部には、前記軸体４１が挿通可能であると共に、前記ロック金具４３に対応する長方形で、このロック金具４３が挿通可能なロック用開口部４４を設け、隙間塞ぎ板５を折畳位置に回動させる際に、ロック金具４３を幅木６の前記ロック用開口部４４に挿通させた後、ロック金具４３をロック用開口部４４と直交するように回転させることによって隙間塞ぎ板５をロックし、ロック金具４３をロック用開口部４４と平行するように回転させて開口部４４から抜き出すことによってロック解除するようになっていることを特徴とする。
【発明の効果】
【０００９】
上記解決手段による発明の効果を、後述する実施形態の参照符号を付して説明すると、請求項１に係る発明によれば、安全手摺りＴの手摺り本体７に取り付けられた隙間塞ぎ板５付き幅木６は、隙間塞ぎ板５が幅木６に対し折り畳み可能であってロック手段８により折畳位置にロックされるようになっているから、この安全手摺りＴを複数段に積み重ねても嵩張るようなことがなく、安定良く積み重ねることができて荷崩れを起こしにくく、安全手摺りＴの保管や搬送移動にきわめて有効である。
【００１０】
又、本発明によれば、ロック手段８は、隙間塞ぎ板５が折畳位置にある時に、ロックピン９の係止軸部９ｃを隙間塞ぎ板５のピン孔２２からこれと対向位置する幅木６のピン孔２１に係止することによって隙間塞ぎ板５をロックし、斯かるロック状態から、操作軸部９ｂをバネ１０に抗して引っ張って、係止軸部９ｃを隙間塞ぎ板５の端部の外に出した状態で隙間塞ぎ板５を傾倒させることにより、ロックピン９が隙間塞ぎ板５のピン抜取用切欠溝２３から抜け出てロック解除するようになっているから、簡単な操作により隙間塞ぎ板５を折畳位置にロックでき、またロック解除することができる。
【００１１】
請求項２に記載の発明によれば、請求項１と同じように、安全手摺りＴの手摺り本体７に取り付けられた隙間塞ぎ板５付き幅木６は、隙間塞ぎ板５が幅木６に対し折り畳み可能であってロック手段８により折畳位置にロックされるようになっているから、この安全手摺りＴを複数段に積み重ねても嵩張るようなことがなく、安定良く積み重ねることができて荷崩れを起こしにくく、安全手摺りＴの保管や搬送移動にきわめて有効であると共に、ロックピン３９及びコイルバネ４０からなるロック手段８によれば、構造が簡単で部品点数が少なくて製作が容易になると共に、操作が容易となる。
【図面の簡単な説明】
【００１２】
【図１】(a) は本発明に係る安全手摺りの正面図、(b) は側面図である。
【図２】同上の安全手摺りの使用状態を枠組足場の内側から見た斜視図である。
【図３】同安全手摺りを幅木の外側から見た斜視図である。
【図４】(a-1) は図１の(a) の矢印Ｘで示す部分の拡大図、(a-2) は同部分の平面図、(b-1) は図１の(a) の矢印Ｙで示す部分の拡大図、(b-2) は同部分の平面図である。
【図５】図１(a) のＺ−Ｚ線拡大断面図であるが、隙間塞ぎ板は折畳位置にある。
【図６】(a) は図１の(a) の矢印Ｏで示す部分の拡大図、(b) は平面図、(c) は図６の(b) のＶ−Ｖ線拡大断面図である。
【図７】(a) は隙間塞ぎ板が折畳位置にロックされた状態の斜視図、(b) は折畳位置にある隙間塞ぎ板のピン孔からロックピンを抜き始めた状態で、係止軸部が未だ隙間塞ぎ板の端部内にある状態の斜視図である。
【図８】係止軸部が隙間塞ぎ板の端部の外に出た状態の斜視図である。
【図９】ロックピンが隙間塞ぎ板のピン抜取用切欠溝から抜け出てロック解除した状態の斜視図である。
【図１０】ロックピンの係止軸部が幅木の端部のピン孔に係入した状態の斜視図である。
【図１１】(a) は隙間塞ぎ板が折畳位置にある状態での１枚の安全手摺りの正面図であり、(b) は側面図、(c) は(a) の矢印Ｑで示す部分の拡大図、(d) は(c) の右側面図である。
【図１２】(a) は隙間塞ぎ板が折畳位置にある状態の安全手摺りを２枚重ねた状態の正面図、(b) はその右側面図である。
【図１３】(a) は隙間塞ぎ板が折畳位置にある状態の安全手摺りを３枚重ねた状態の正面図、(b) はその右側面図である。
【図１４】(a) は隙間塞ぎ板が折畳位置にある状態の安全手摺りを４枚重ねた状態の正面図、(b) はその右側面図である。
【図１５】図１３のように安全手摺りを３枚重ねた時の隙間塞ぎ板及び幅木の重なり状態を示す拡大側面図である。
【図１６】ロック手段の他の実施形態を示す説明図である。
【発明を実施するための形態】
【００１３】
以下に本発明の好適な一実施形態を図面に基づいて説明すると、図１の(a) は本発明に係る安全手摺りＴで、枠組足場に取り付けられた状態の正面図、(b) は側面図であり、図２は安全手摺りＴの使用状態を枠組足場の内側から見た斜視図である。枠組足場は、図２に一部分だけしか示していないが、両側一対の縦材１，１と両縦材１，１をつなぐ横架材２とからなる建枠３を一定間隔に対向配置し、両建枠３，３の対向する横架材２，２間に足場板４を架け渡すと共に、両縦材１，１間にブレース（図示せず）をＸ形に架け渡しながら順次多段状に組み立てられる。安全手摺りＴは、枠組足場を組み立てる際に、既設の下段側足場板から新設した上段側足場板の先行仮設手摺りとして取り付けられるもので、隙間塞ぎ板５付きの幅木６を備えている。尚、図１には枠組足場のうちの足場板４のみを仮想線で示している。
【００１４】
枠組足場に取り付けられる安全手摺りＴは、図１から分かるように、左右両縦枠１１，１１と上横枠１２とで略倒Ｕ字状に形成されると共に下横枠１３と横中枠１４との間に縦中桟１５が介設され且つ上横枠１２と各縦材１とのコーナー部に斜材１６が介設されてなる手摺り本体７と、この手摺り本体７の所定高さ位置に取り付けられる隙間塞ぎ板５付き幅木６と、手摺り本体７を両建枠３，３の対向する縦材１，１に夫々着脱自在に取り付けるための取付手段１７とからなり、隙間塞ぎ板５と幅木６との間には隙間塞ぎ板５を幅木６に対し折畳位置でロックするためのロック手段８が介設されている。
【００１５】
図１及び図２から分かるように、隙間塞ぎ板５は、架け渡された足場板４の一側端部と建枠３の縦材１側との間の隙間Ｓを塞ぐように足場板上に一側端部側が載置され、この隙間塞ぎ板５の他側端部が複数の蝶番１８によって幅木６に蝶着され、この幅木６が手摺り本体７の所要高さ位置に取り付けられ、そして幅木６隙間塞ぎ板５との間には、隙間塞ぎ板５を幅木６に対し折畳位置で固定するためのロック手段８が介設されている。
【００１６】
隙間塞ぎ板５及び幅木６は、夫々鋼板等の金属板によって形成されたもので、隙間塞ぎ板５の両側端縁部は夫々外側へ折り返されて折り返し重合縁部５ａ，５ａを形成し（図３参照）、また幅木６の両側端部も夫々外側に折り返されて折り返し重合縁部６ａ，６ａを形成している（図３参照）。幅木６を手摺り本体７に取り付けるには、図３及び図４に示すように、縦枠１１の所定箇所に固着された取付ブラケット１９に幅木６の外面側端部をリベットＲによって固定し、幅木６の中間部は、縦中桟１５に嵌合させた断面ハット形の取付金具２０の両端部にリベットＲで固定するようにしている。
【００１７】
上記のように幅木６を手摺り本体７の所定高さ位置に取り付けることにより、この幅木６の下端部に蝶番１８によって蝶着された隙間塞ぎ板５は、図５に示すように、起立させて幅木６に対し折り畳んだ折畳位置と、下方へ垂れ下がった垂下開放位置との間で回転自在となる。
【００１８】
次に、隙間塞ぎ板５を幅木６に対し折畳位置で固定するためのロック手段８について説明すると、このロック手段８は、図２〜図１０に示すように、ロックピン９及びコイルバネ１０からなる。ロックピン９は、幅木６の端部及び取付ブラケット１９を貫通して軸支され、コイルバネ１０によって幅木６の外側方向へ付勢される支軸部９ａと、この支軸部９ａの先端部から幅木６の内側面に沿って平行に延びる操作軸部９ｂと、この操作軸部９ｂの先端部から内向きに折曲して支軸部９ａと平行に延びる係止軸部９ｃとからなる鉤形のピンで、幅木６の端部には幅木６の端部内で係止軸部９ｃが係入するピン孔２１を設け（図９及び図１０参照）、また隙間塞ぎ板５の端部には、係止軸部９ｃが図７に示すように折り畳まれた隙間塞ぎ板５の端部内にある時に係止軸部９ｃが係入するピン孔２２と、係止軸部９ｃが図８に示すように折り畳まれた隙間塞ぎ板５の端部の外に出た状態で支軸部９ａ及び操作軸部９ｂが挿通してロックピン９を抜き取り可能な略Ｕ字形のピン抜取用切欠溝２３とを設け、しかして隙間塞ぎ板５が折畳位置にある時に、係止軸部９ｃを隙間塞ぎ板５のピン孔２２から、このピン孔２２と対向する位置に設けてある幅木６のピン孔２１に係止することによって、図７の(a) に示すように隙間塞ぎ板５をロックし、このロック状態から、図７の(b) に示すように操作軸部２１ｂをコイルバネ１０抗して引っ張りながら、図８に示すように係止軸部９ｃを隙間塞ぎ板５の端部の外に出した状態で、隙間塞ぎ板５を図９に示すように開放回転させることによって、ロックピン９が隙間塞ぎ板５のＵ字形ピン抜取用切欠溝２３から抜け出てロック解除するようになっている。
【００１９】
図７の(a) は、隙間塞ぎ板５が幅木６に対して折り畳まれた折畳位置でロック手段８によってロックされた状態を示す。この時、ロックピン９の操作軸部９ｂは、支軸部９ａを幅木６の外側方向へ付勢するコイルバネ１０により隙間塞ぎ板５の外面に沿って密着した状態にある。そして、この(a) に示す状態から、ロックピン９の操作軸部９ｂを手前側へ引っ張って、係止軸部９ｃを隙間塞ぎ板５及び幅木６のピン孔２２，２１から抜き出し、同図の(b) に示すように支軸部９ａを中心に係止軸部９ｃを旋回させながら、図８に示すように係止軸部９ｃを隙間塞ぎ板５の端部の外に出し、しかしてこの状態から隙間塞ぎ板５を図９に示すように蝶番１８を中心として開放回転させると、その回転中にロックピン９が隙間塞ぎ板５のＵ字形ピン抜取用切欠溝２３から抜け出て、隙間塞ぎ板５はロック解除されることになる。
【００２０】
図９は、隙間塞ぎ板５がロックを解除されたまま足場板（図示省略）上に一側端部側が載置されて支持された状態を示す。この時、ロックピン９の係止軸部９ｃは手摺り本体７の縦枠１に支持されている。従って、図９に示す状態から、ロックピン９の操作軸部９ｂをコイルバネ１０の付勢力に抗して手前側へ引っ張りながら、支軸部９ａを中心に係止軸部９ｃを旋回させて幅木６のピン孔２１に係入させると、ロックピン９の操作軸部９ｂは幅木６の内側面に沿ってに密着し、図１０に示す状態となる。この図１０の状態から隙間塞ぎ板５を折り畳んでロックする時は、上記した操作の逆を行えばよい。
【００２１】
上記のようなロック手段８によれば、上記のようなロックピン９の引っ張り操作と回転操作によって隙間塞ぎ板５を簡単に折畳位置にロックし、またロック解除することができる。
【００２２】
手摺り本体７を両建枠３，３の対向する縦材１，１に夫々着脱自在に取り付けるための取付手段１７は、図１に示すように、手摺り本体７の各縦枠１１の中間部に取り付けられ、建枠３の横架材２に掛止される位置決め用のフック２４と、手摺り本体７の各縦枠１１の下端部に取り付けられ、手摺り本体７を建枠３の縦材１の上部側に固定する上部側固定金具２５と、同手摺り本体７を上段側建枠３の縦材１の下部側に固定する下部側固定金具２６とからなる。
【００２３】
取付手段１７のフック２４は、図４の(b-1) ，(b-2) に示すように、縦枠１１に固着された断面円弧状取付枠２７から突出する取付アーム２４ａの先端部下側に、建枠３の横架材２に上方より嵌合掛止するフック部２４ｂを有し、また取付アーム２４ａの先端部上側には、安全手摺りＴの取付け又は取外し時に安全手摺りＴを逆様にした状態で建枠３の横架材２に嵌合掛止するフック部２４ｃが形成されている。
【００２４】
上部側固定金具２５と下部側固定金具２６とは同じ構造であって、各固定金具２５，２６は、図６の(a) ，(b) に示すように、手摺り本体７の縦枠１１に固着された取付部材２８と、建枠３の縦材１に係脱自在に係合する縦材係合部２９を一端部に有し、縦材係合部２９が縦材１に係合する固定位置と縦材係合部２９が縦材１から離脱して手摺り本体７の縦枠１１に沿うように折り畳み収納される収納位置との間で回動可能に取付部材２８に枢軸３０により枢着された回動部材３１と、この回動部材３１を固定位置及び収納位置にロックするロック手段３２とによって構成され、縦材係合部２９の先端部には固定用ビス４６が取り付けてある。回動部材３１の他端部、即ち縦材係合部２９と反対側の端部には、固定位置において手摺り本体７の縦枠１１に係合し、収納位置において縦枠１１から離脱する縦枠係合部３３が設けてある。
【００２５】
上記ロック手段３２は、取付部材２８と回動部材３１との互いの摺接面部の一方側に係合突起３４をバネ３５によって他方の摺接面部側に弾接するように設けると共に、他方の摺接面部側に、回動部材３１が回動して固定位置及び収納位置に来た時に係合突起３４が係合して回動部材３１を固定位置及び収納位置に夫々ロックする固定位置用ロック孔３６Ａと収納位置用ロック孔３６Ｂを設けたものからなる。このロック手段３２のバネ３５は、図６の(c) に示すように、夫々末広がり台形状の第１バネ３７と第２バネ３８とからなるもので、第１バネ３７は第２バネ３８内に嵌合された状態に取り付けられ、第２バネ３８の先端側に突設された係合突起３４が取付部材２８を貫通して外側へ突出し、その突出端部が、回動部材３１に設けられた固定位置用ロック孔３６Ａ又は収納位置用ロック孔３６Ｂに対し係合するようになっている。
【００２６】
上記のように構成される安全手摺りＴの使用にあたって、図示は省略するが、一対の建枠３，３を対向配置し、両建枠３，３の対向する縦材１，１間にブレースをＸ状に掛張した後、両建枠３，３に安全手摺りＴを取り付け、その後に両建枠３，３の対向する横架材２，２間に足場板４を掛止フック４ａ（図２参照）を介して架け渡し、１段目足場を組み立てる。安全手摺りＴの取り付けにあたっては、図１１に示すように、前記取付手段１７の上下固定金具２５，２６を何れも回動部材３１を手摺り本体７の縦枠１１に沿って折り畳んだ収納位置にセットしてロック手段３２でロックした状態で、手摺り本体７の両側の位置決め用フック２４，２４を両建枠３，３対向する横架材２に引っ掛けて位置決めし、そしてまた手摺り本体７に固定された幅木６に取り付けてある隙間塞ぎ板５を折り畳んでロック手段８によって折畳位置に固定しておく。
【００２７】
その後、各下部側固定金具２６の回動部材３１を固定位置へ回動操作して、図６の(a) ，(b) に示すように一端側の縦材係合部２９を建枠３の縦材１に係合させ、固定用ビス４６を締め込んで係合部２９を縦材１に固定すると共に、ロック手段３２により回動部材３１を固定位置にロックして、各下部側固定金具２６を１段目足場用建枠３の縦材１に固定し、そうしてロック手段８によって折畳位置にロックしていた隙間塞ぎ板５をロック解除して、図２に示すように足場板４上に支持させる。
【００２８】
次いで、１段目足場の足場板４に上って、１段目足場用建枠３に２段目側の建枠３を継ぎ足し、そして未だ固定していなかった安全手摺りＴの上部側固定金具２５を、上述した下部側固定金具２６と同様な方法で２段目側建枠３の縦材１に固定し、この２段目側両建枠３，３の対向する縦材１，１間にブレースを掛張する。この２段目足場の組立作業は、１段目足場の足場板４上で行うことになるが、この２段目足場には、下部側固定金具２６によって建枠３縦材１の上部側に固定して安全手摺りＴの上側半分以上が足場板４より上方に突出しているため、作業を安全に行うことができると共に、安全手摺りＴの手摺り本体７に取り付けてある隙間塞ぎ板５付き幅木６によって各種工具類などの落下を防止することができる。
【００２９】
そして、この２段目足場には、両建枠３，３の対向する横架材２，２間に足場板４を架け渡した後、両建枠３，３に安全手摺りＴを上述した１段目足場と同じ様に取り付ける。以降は、上記同様な方法によって安全手摺りＴを設置しながら、多段状に足場を組み上げてゆく。
【００３０】
図１１の(a) は幅木６に取り付けられた隙間塞ぎ板５が折畳位置にロックされた状態での１枚の安全手摺りＴの正面図であり、(b) はその側面図である。図１２の(a) は同様に隙間塞ぎ板５が折畳位置にロックされた状態の安全手摺りＴを２枚重ねた状態の正面図、(b) はその側面図であり、図１３の(a) は同様に隙間塞ぎ板５が折畳位置にロックされた状態の安全手摺りＴを３枚重ねた状態の正面図、(b) はその側面図である。図１４は同様に隙間塞ぎ板５が折畳位置にロックされた状態の安全手摺りＴを４枚重ねた状態であるが、４枚目の安全手摺りＴは、３枚目の安全手摺りＴの反対側で１枚目の安全手摺りＴに重ね合わさった状態の正面図及び側面図を示し、また図１５は図１３のように安全手摺りＴを３枚重ねた時の隙間塞ぎ板５及び幅木６の重なり状態を示す拡大側面図である。
【００３１】
図１２〜図１５を参照すれば分かるように、各安全手摺りＴの手摺り本体７に取り付けられた隙間塞ぎ板５付き幅木６は、隙間塞ぎ板５が、幅木６に対し折り畳み可能であってロック手段８により折畳位置に固定されるようになっているから、この安全手摺りＴを複数段に積み重ねても嵩張るようなことがなく、安定良く積み重ねることができて、荷崩れを起こしにくく、保管や搬送移動にきわめて有効である。
【００３２】
図１６は隙間塞ぎ板５を幅木６に対し折り畳んだ折畳位置に固定するロック手段８の他の実施形態を示す。この図１６に示すロック手段８は、ロックピン３９及びコイルバネ４０からなるもので、ロックピン３９は、幅木６の端部及びこの端部に固定した台枠４２を貫通して軸支され、コイルバネ４０によって幅木６の外側方向方向へ付勢される軸体４１からなり、この軸体４１の先端部には、隙間塞ぎ板５を幅木６に対して折り畳まれる折畳位置にロックするための長方形板状のロック金具４３をその軸線周りに回転可能に設け、隙間塞ぎ板５の端部には、軸体４１が挿通可能であると共に、ロック金具４３に対応する長方形に形成されてこのロック金具４３が挿通可能なロック用開口部４４を設け、しかして隙間塞ぎ板５を折畳位置に回動させる際に、ロック金具４３を幅木６のロック用開口部４４に挿通させた後で、ロック金具４３をロック用開口部４４の長手方向と直交するように９０°回転させることによって隙間塞ぎ板５をロックすることができ、またロック金具４３をロック用開口部４４の長手方向と平行するように回転させて開口部４４から抜き出すことによってロック解除することができるようになっている。
【００３３】
この図１６において、(a-1) は幅木６の端部（両端部）とこの端部に夫々設けた台枠４２にロックピン３９の軸体４１を貫通支持させると共に、基端部に螺着したナット４５と台枠４２との間にコイルバネ４０を介装し、幅木６を貫通した軸体４１の先端部に長方形板状のロック金具４３を回転可能に取り付けた状態の側面図であり、(a-2) は軸体４１の先端側から見た幅木６の正面図であり、(a-3) はロック用開口部４４を設けた隙間塞ぎ板５の正面図である。そして、(b-1) は(a-1) に示す状態からロックピン３９の軸体４１を先端側方向へ引っ張ってロック金具４３をその軸線回りに９０°回転させている状態を示す、軸体４１の先端側から見た幅木６の正面図である。
【００３４】
また、(c-1) 及び(c-2) は、隙間塞ぎ板５を折畳位置に回動させる際に軸体４１先端部のロック金具４３を幅木６のロック用開口部４４に挿通させてそのロック金具４３をロック用開口部４４の長手方向と直交するように９０°回転させることにより、隙間塞ぎ板５をロックする状態を示し、そして(c-3) は、(c-2) に示す状態からロック金具４３をロック用開口部４４の長手方向と平行するように回転させることによってロック解除する状態を示す。
【００３５】
この図１６に示すようなロックピン３９及びコイルバネ４０からなるロック手段８によれば、構造が簡単で部品点数が少なくなって製作が容易になると共に、操作が容易となる利点がある。
【符号の説明】
【００３６】
Ｔ              安全手摺り
１              足場用建枠の縦材
２              足場用建枠の横架材
３              足場用建枠
４              足場板
５              隙間塞ぎ板
６              幅木
７              手摺り本体
８              ロック手段
９              ロックピン
９ａ            支軸部
９ｂ            操作軸部
９ｃ            係止軸部
１０            バネ
２１            ピン孔
２２            ピン孔
２３            ピン抜取用切欠溝
【図１】
0005531342.tif 000002
【図２】
0005531342.tif 000003
【図３】
0005531342.tif 000004
【図４】
0005531342.tif 000005
【図５】
0005531342.tif 000006
【図６】
0005531342.tif 000007
【図７】
0005531342.tif 000008
【図８】
0005531342.tif 000009
【図９】
0005531342.tif 000010
【図１０】
0005531342.tif 000011
【図１１】
0005531342.tif 000012
【図１２】
0005531342.tif 000013
【図１３】
0005531342.tif 000014
【図１４】
0005531342.tif 000015
【図１５】
0005531342.tif 000016
【図１６】
0005531342.tif 000017